(57)【要約】【課題】材料費を低減でき、かつ、強度の高い梱包容器を提供すること。【解決手段】複数本の円筒状の感光体ドラム１０を梱包し波状のフルートＦを有して構成される梱包容器であって、第１フルート方向Ｇ１に直線状に延びるフルートＦを有して構成される側部２３を備える梱包容器本体２と、感光体ドラム１０の下端部が当接し該複数の位置決め突起３２が上方を向くように梱包容器本体２の底面に配置される第１ドラムホルダー３と、感光体ドラム１０が挿入される複数の挿入開口５１が形成された仕切り面５２及び第１フルート方向Ｇ１に直交する第２フルート方向Ｇ２に直線状に延びるフルートＦを有して構成される一対の脚部５３を有し、第１ドラムホルダー３の上部に配置される仕切り部材５と、感光体ドラム１０の上端部が当接し複数の位置決め突起４２が下方を向くように仕切り部材５の上方に配置される第２ドラムホルダー４と、を備える。【選択図】図１
2014122063.tif 000002
【特許請求の範囲】
【請求項１】
複数本の円筒状の感光体ドラムを梱包し、波状のフルートと、前記フルートの一方の面側及び他方の面側に配置される一対のシートとを有して構成される梱包容器であって、
シート状部材により構成され、第１フルート方向に直線状に延びるフルートを有して構成される側部を備える箱状の梱包容器本体と、
前記感光体ドラムの下端部が当接するシート状の基部、及び該基部の一方の面から突出する複数の位置決め突起を有し、該複数の位置決め突起が上方を向くように前記梱包容器本体の底面に配置される第１ドラムホルダーと、
一枚のシート状部材により構成され、前記感光体ドラムが挿入される複数の挿入開口が形成された仕切り面、及び該仕切り面における一対の第１側縁から該仕切り面に略直交する方向に屈曲して延び且つ前記第１フルート方向に直交する第２フルート方向に直線状に延びるフルートを有して構成される一対の脚部を有し、前記第１ドラムホルダーの上部に配置される仕切り部材と、
前記感光体ドラムの上端部が当接するシート状の基部、及び該基部の一方の面から突出する複数の位置決め突起を有し、該複数の位置決め突起が下方を向くように前記仕切り部材の上方に配置される第２ドラムホルダーと、を備える梱包容器。
【請求項２】
シート状部材により構成され、第３フルート方向に直線状に延びるフルートを有して構成され、前記梱包容器本体の底面と前記第１ドラムホルダーとの間に配置される底板と、
シート状部材により構成され、前記第３フルート方向に直交する第４フルート方向に直線状に延びるフルートを有して構成され、前記第２ドラムホルダーの上方に配置される天板と、を備える請求項１に記載の梱包容器。
【請求項３】
複数本の円筒状の感光体ドラムを梱包する梱包容器であって、
シート状部材により中空の方形筒状に構成される側部、該側部における対向する一方の一対の上縁及び／又は下縁から該側部の内側に向けて該側部に直交する方向に第１屈曲線を介して屈曲して延び且つ互いが隙間なく平面状に配置される一対の内フラップ、及び該側部における対向する他方の一対の上縁及び／又は下縁から該側部の内側に向けて該側部に直交する方向に該内フラップの前記第１屈曲線よりも該内フラップの厚さ分外方側に位置する第２屈曲線を介して屈曲して延びる外フラップを有する箱状の梱包容器本体と、
前記感光体ドラムの下端部が当接するシート状の基部、及び該基部の一方の面から突出する複数の位置決め突起を有し、該複数の位置決め突起が上方を向くように前記梱包容器本体の底面に配置される第１ドラムホルダーと、
前記感光体ドラムの上端部が当接するシート状の基部、及び該基部の一方の面から突出する複数の位置決め突起を有し、該複数の位置決め突起が下方を向くように前記感光体ドラムの上方に配置される第２ドラムホルダーと、を備える梱包容器。
【請求項４】
前記梱包容器に梱包される前記感光体ドラムの本数は、前記感光体ドラムが前記第１ドラムホルダー及び前記第２ドラムホルダーを介して上下方向から受ける荷重に耐えることが可能な本数である請求項１から３のいずれかに記載の梱包容器。
【請求項５】
前記第１ドラムホルダー及び前記第２ドラムホルダーの材質は、所定の圧縮荷重によりせん断されない強度を有する請求項１から４のいずれかに記載の梱包容器。
【請求項６】
前記第１ドラムホルダー及び前記第２ドラムホルダーの材質（Ｈ）、前記感光体ドラムの感光層の材質（Ｋ）、及び前記梱包容器本体の材質（Ｓ）において、帯電列の関係は、Ｈ＜Ｋ＜Ｓ、又は、Ｓ＜Ｋ＜Ｈである請求項１から５のいずれかに記載の梱包容器。
【請求項７】
複数本の前記感光体ドラムは、前記梱包容器本体の天面又は底面において、均等に配置される請求項１から６のいずれかに記載の梱包容器。
【請求項８】
前記第１ドラムホルダー及び前記第２ドラムホルダーと前記梱包容器本体の内面との間の距離は、前記感光体ドラムの直径以下である請求項１から７のいずれかに記載の梱包容器。
【請求項９】
前記第１ドラムホルダーの形状は、前記第１ドラムホルダーの位置決め突起の高さを（Ｈ）、前記感光体ドラムの長さを（Ｌ）、前記第１ドラムホルダーの位置決め突起の外径を（ｈ）、前記感光体ドラムの内径を（ｄ）としたときに、ｄ＞（Ｌ−Ｈ）×（ｄ−ｈ）／Ｈの関係である請求項１から８のいずれかに記載の梱包容器。
【請求項１０】
前記第１ドラムホルダー及び／又は前記第２ドラムホルダーは、透明である請求項１から８のいずれかに記載の梱包容器。
【請求項１１】
前記感光体ドラムは、該感光体ドラムが延びる方向が鉛直方向に沿うように配置されて梱包される請求項１から１０のいずれかに記載の梱包容器。
【請求項１２】
前記梱包容器本体は、互いに平行に配置される天面及び底面を有し、全体形状が、直方体、多角柱体、又は円筒体である請求項１から１１のいずれかに記載の梱包容器。
【請求項１３】
前記梱包容器本体は、１ピースで構成され、展開図が長方形である請求項１から１２のいずれかに記載の梱包容器。
【請求項１４】
前記梱包容器本体は、２ピース又は３ピースで構成される請求項１から１２のいずれかに記載の梱包容器。
【請求項１５】
前記梱包容器本体の側部は、前記感光体ドラムの高さ方向の長さに合わせて伸縮可能である請求項１から１４のいずれかに記載の梱包容器。
【請求項１６】
前記梱包容器本体の側部には、前記梱包容器を開梱可能なミシン目が形成される請求項１から１５のいずれかに記載の梱包容器。
【請求項１７】
前記梱包容器本体の側部には、開口部が形成される請求項１から１５のいずれかに記載の梱包容器。
【請求項１８】
前記第１ドラムホルダーの前記位置決め突起及び／又は前記第２ドラムホルダーの前記位置決め突起の形状は、円錐形状である請求項１又は３に記載の梱包容器。
【請求項１９】
前記第１ドラムホルダー及び前記第２ドラムホルダーは、同一の構成を備える請求項１又は３に記載の梱包容器。
【請求項２０】
前記第２ドラムホルダーの前記位置決め突起の形状は、先端側が略半球で全体が円柱状である請求項３に記載の梱包容器。
【発明の詳細な説明】
【技術分野】
【０００１】
本発明は、感光体ドラムの梱包容器に関する。
【背景技術】
【０００２】
従来、表面に感光層が形成された筒状の感光体ドラムは、複数本が梱包容器に梱包されて運搬及び保管される。複数本の感光体ドラムを梱包容器に梱包する方法として、複数のダンボールシートを組み合わせて複数の格子を形成した、格子状断面を有する間仕切りを用いて、複数本の感光体ドラムを互いに接触しないように梱包する感光体ドラムの梱包方法が提案されている（特許文献１参照）。
【０００３】
特許文献１に記載の感光体ドラムの梱包方法においては、複数本の感光体ドラムを１つの梱包容器に収納する。そして、複数本の感光体ドラムが梱包された梱包容器は、パレット上に複数段積み重ねられて、運搬され、保管される。
ここで、梱包容器は、強度が低いと内容物の感光体ドラムが破損する可能性がある。そのため、梱包容器の材料としては、強度の高い材料を使用する必要がある。
【先行技術文献】
【特許文献】
【０００４】
【特許文献１】特開平１０−５５０８３号公報
【発明の概要】
【発明が解決しようとする課題】
【０００５】
しかしながら、梱包容器に強度の高い材料を使用すると、梱包容器に要する材料費が高くなる。
【０００６】
従って、本発明は、材料費を低減でき、かつ、強度の高い梱包容器を提供することを目的とする。
【課題を解決するための手段】
【０００７】
本発明は、複数本の円筒状の感光体ドラムを梱包し、波状のフルートと、前記フルートの一方の面側及び他方の面側に配置される一対のシートとを有して構成される梱包容器であって、シート状部材により構成され、第１フルート方向に直線状に延びるフルートを有して構成される側部を備える箱状の梱包容器本体と、前記感光体ドラムの下端部が当接するシート状の基部、及び該基部の一方の面から突出する複数の位置決め突起を有し、該複数の位置決め突起が上方を向くように前記梱包容器本体の底面に配置される第１ドラムホルダーと、一枚のシート状部材により構成され、前記感光体ドラムが挿入される複数の挿入開口が形成された仕切り面、及び該仕切り面における一対の第１側縁から該仕切り面に略直交する方向に屈曲して延び且つ前記第１フルート方向に直交する第２フルート方向に直線状に延びるフルートを有して構成される一対の脚部を有し、前記第１ドラムホルダーの上部に配置される仕切り部材と、前記感光体ドラムの上端部が当接するシート状の基部、及び該基部の一方の面から突出する複数の位置決め突起を有し、該複数の位置決め突起が下方を向くように前記仕切り部材の上方に配置される第２ドラムホルダーと、を備える梱包容器に関する。
【０００８】
また、本発明は、複数本の円筒状の感光体ドラムを梱包する梱包容器であって、シート状部材により中空の方形筒状に構成される側部、該側部における対向する一方の一対の上縁及び／又は下縁から該側部の内側に向けて該側部に直交する方向に第１屈曲線を介して屈曲して延び且つ互いが隙間なく平面状に配置される一対の内フラップ、及び該側部における対向する他方の一対の上縁及び／又は下縁から該側部の内側に向けて該側部に直交する方向に該内フラップの前記第１屈曲線よりも該内フラップの厚さ分外方側に位置する第２屈曲線を介して屈曲して延びる外フラップを有する箱状の梱包容器本体と、前記感光体ドラムの下端部が当接するシート状の基部、及び該基部の一方の面から突出する複数の位置決め突起を有し、該複数の位置決め突起が上方を向くように前記梱包容器本体の底面に配置される第１ドラムホルダーと、前記感光体ドラムの上端部が当接するシート状の基部、及び該基部の一方の面から突出する複数の位置決め突起を有し、該複数の位置決め突起が下方を向くように前記感光体ドラムの上方に配置される第２ドラムホルダーと、を備える梱包容器に関する。
【発明の効果】
【０００９】
本発明によれば、材料費を低減でき、かつ、強度の高い梱包容器を提供できる。
【図面の簡単な説明】
【００１０】
【図１】本発明の第１実施形態の感光体ドラムの梱包容器を示す分解斜視図である。
【図２】ドラムホルダーの平面図である。
【図３】図２のＡ−Ａ線断面図である。
【図４】仕切り部材の展開平面図である。
【図５】仕切り部材の断面図であり、図１のＢ−Ｂ線断面を示す図である。
【図６】仕切り部材の断面図であり、図１のＣ−Ｃ線断面を示す図である。
【図７】第１実施形態において、複数本の感光体ドラムが梱包された梱包容器の断面図であり、図１のＣ−Ｃ線断面に対応する図である。
【図８】本発明の第２実施形態の感光体ドラムの梱包容器を示す分解斜視図である。
【図９】第２実施形態において、複数本の感光体ドラムが梱包された梱包容器の斜視図である。
【図１０】複数本の感光体ドラムが梱包された梱包容器の断面図であり、図９のＤ−Ｄ線断面に対応する図である。
【図１１】複数本の感光体ドラムが梱包された梱包容器の断面図であり、図９のＥ−Ｅ線断面に対応する図である。
【図１２】第２実施形態の梱包容器本体の展開図である。
【発明を実施するための形態】
【００１１】
＜第１実施形態＞
以下、本発明の第１実施形態の梱包容器１について、図１〜図７を参照しながら説明する。なお、梱包容器１の説明において、梱包容器１の梱包容器本体２の底面の一方の辺に沿う方向をＸ方向とする。また、梱包容器１の梱包容器本体２の底面の他方の辺に沿う方向をＹ方向とする。また、梱包容器１の上下方向（鉛直方向）をＺ方向とする。Ｘ方向、Ｙ方向及びＺ方向は、互いに直交する。
【００１２】
本発明の梱包容器１は、図１に示すように、両端部にフランジが挿入されていない円筒状の感光体ドラム１０を複数本梱包する場合に用いられる。感光体ドラム１０は、円筒状の基体と、この基体の表面に設けられた感光層とを含んで構成される（いずれも図示せず）。この感光体ドラム１０は、感光層の損傷を防ぐため、保護シート１１により感光層が被覆された状態で梱包される。感光体ドラム１０は、該感光体ドラム１０が延びる方向が鉛直方向Ｚに沿うように、縦置きの状態で配置されて梱包される。
【００１３】
梱包容器１に梱包される感光体ドラム１０の本数は、感光体ドラム１０が後述する第１ドラムホルダー３及び第２ドラムホルダー４を介して上下方向Ｚから受ける荷重に耐えることが可能な本数である。
複数本の感光体ドラム１０は、後述する梱包容器本体２の上面（天面）又は底面において、均等に配置される。
【００１４】
第１実施形態の梱包容器１は、図１に示すように、梱包容器本体２と、第１ドラムホルダー３と、仕切り部材５と、第２ドラムホルダー４と、一対のシート状の補強材６と、を備える。梱包容器本体２、仕切り部材５及び一対のシート状の補強材６は、波状のフルートＦと、このフルートＦの一方の面側及び他方の面側に配置される一対のシートとを有して構成される。
梱包容器本体２は、シート状部材であるダンボール等の紙材により箱状に構成される。本実施形態では、梱包容器本体２は、底面及び上面（天面）が開閉可能な蓋部材により構成された平面視略正方形の直方体形状のダンボール箱により構成される。梱包容器本体２の底面及び上面は、互いに平行に配置される。
【００１５】
梱包容器本体２の底面及び上面それぞれの蓋部材は、図１に示すように、一対の内フラップ２１と、一対の外フラップ２２とを有する。
内フラップ２１は、梱包容器本体２のＸ方向に離間して配置される第１側板２３それぞれにおいて、第１側板２３のＺ方向の両端それぞれから延出した部分により構成される。内フラップ２１は、梱包容器本体２の梱包状態において、外フラップ２２よりも梱包容器本体２の内側に配置される。
外フラップ２２は、梱包容器本体２のＹ方向に離間して配置される第２側板２４それぞれにおいて、第２側板２４のＺ方向の両端それぞれから延出した部分により構成される。外フラップ２２は、梱包容器本体２の梱包状態において、内フラップ２１よりも梱包容器本体２の外側に配置される。
【００１６】
梱包容器本体２は、波状のフルートＦを有する。梱包容器本体２のフルートＦは、複数の波形状が連続して並んで配置され、複数の波形状が並ぶ方向に直交する方向に直線状に延びている。
梱包容器本体２の第１側板２３及び第２側板２４のフルートＦは、梱包状態において、第１フルート方向Ｇ１に直線状に延びている。第１フルート方向Ｇ１は、Ｚ方向に沿う方向である。梱包容器本体２の第１側板２３のフルートＦの複数の波形状は、第１フルート方向Ｇ１に直交するＹ方向に並んで配置される。梱包容器本体２の第２側板２４のフルートＦの複数の波形状は、第１フルート方向Ｇ１に直交するＸ方向に並んで配置される。
【００１７】
梱包容器本体２の内フラップ２１のフルートＦは、梱包状態において、複数の波形状がＹ方向に連続して並んで配置され、Ｘ方向に直線状に延びる。
梱包容器本体２の外フラップ２２のフルートＦは、梱包状態において、複数の波形状がＸ方向に連続して並んで配置され、Ｙ方向に直線状に延びる。
【００１８】
第１ドラムホルダー３は、梱包容器本体２の第１側板２３及び第２側板２４の内面との間の距離が感光体ドラム１０の直径以下であるように配置される。
第１ドラムホルダー３は、図１及び図２に示すように、シート状の基部３１と、この基部３１から突出する複数の位置決め突起３２と、これら複数の位置決め突起３２を区画するリブ部３３と、を備える。
【００１９】
基部３１は、平面視において略正方形状に形成される。基部３１の一辺の長さは、梱包容器本体２の底面の内寸よりも若干短く構成される。基部３１には、感光体ドラム１０が第１ドラムホルダー３に載置された場合に、感光体ドラム１０の下端部が当接する。
【００２０】
複数の位置決め突起３２は、図３に示すように、基部３１の一方の面から突出し、円錐形状に形成される。複数の位置決め突起３２は、図２に示すように、基部３１の対角線に沿う方向に隣り合って配置される位置決め突起３２との距離が最短となるように、互いに一定の間隔をあけて千鳥状に配置される。また、複数の位置決め突起３２の最大径部分の大きさは、円筒状の感光体ドラム１０の端面の内径よりも小さく構成される（図７参照）。
【００２１】
リブ部３３は、図２及び図３に示すように、基部３１の一方の面から突出して設けられ、複数の位置決め突起３２を互いに区画する。本実施形態では、リブ部３３は、隣り合って配置される２つの位置決め突起３２の中間部分をつなぐように、基部３１の対角線に沿う方向に延び、格子状に設けられる。また、リブ部３３は、基部３１の周縁にも設けられる。
【００２２】
以上の第１ドラムホルダー３は、図１に示すように、複数の位置決め突起３２及びリブ部３３が上方を向くように、梱包容器本体２の底面に配置される。
第１ドラムホルダー３は、ポリエチレンテレフタレート（ＰＥＴ）等の合成樹脂をシート状に成形した樹脂シートを真空成形することにより、基部３１、複数の位置決め突起３２及びリブ部３３が一体的に形成される。第１ドラムホルダー３は、透明である。
【００２３】
第１ドラムホルダー３の材質は、所定の圧縮荷重によりせん断されない強度を有する。
第１ドラムホルダー３の材質（Ｈ）、感光体ドラム１０の感光層の材質（Ｋ）、及び梱包容器本体２の材質（Ｓ）において、帯電列の関係は、Ｈ＜Ｋ＜Ｓ、又は、Ｓ＜Ｋ＜Ｈである。
【００２４】
仕切り部材５は、図１及び図４に示すように、一枚のシート状部材であるダンボール等の紙材が折り曲げられて構成される。この仕切り部材５は、図１、図４及び図５に示すように、複数の円形の挿入開口５１が形成された仕切り面５２と、一対の脚部５３と、一対のフラップ係止部５４と、を備える。
仕切り面５２は、図４に示すように、一対の第１側縁５２１及び一対の第２側縁５２２を有する略正方形状に形成される。この仕切り面５２は、第１ドラムホルダー３と略同じ大きさに形成される。
【００２５】
複数の挿入開口５１は、図４に示すように、仕切り面５２の対角線に沿う方向に隣り合って配置される挿入開口５１との距離が最短となるように、互いに一定の間隔をあけて千鳥状に配置される。これら複数の挿入開口５１それぞれには、感光体ドラム１０が挿入される。複数の挿入開口５１の直径Ｒ１は、感光体ドラム１０の外径Ｒ２よりも大きく構成される（図７参照）。具体的には、複数の挿入開口５１の直径Ｒ１は、感光体ドラム１０を挿入した場合に感光体ドラム１０の周面と仕切り面５２とを接触しにくくする観点、及び感光体ドラム１０が若干傾いた状態で挿入開口５１に挿入された場合に、傾いて挿入された感光体ドラム１０を支持すると共に、傾いた状態からでも自立しやすくする観点から、感光体ドラム１０の外径Ｒ２の１３０％〜１８０％であることが好ましい。
【００２６】
一対の脚部５３は、図１及び図５に示すように、仕切り面５２の一対の第１側縁５２１から仕切り面５２に略直交する方向に屈曲して延びる。より具体的には、一対の脚部５３は、図４に示すように、シート状部材における仕切り面５２の一対の第１側縁５２１から延出した部分により構成される。そして、延出したシート状部材が一対の第１側縁５２１において、略９０度屈曲されて一対の脚部５３が構成されている。
【００２７】
一対の脚部５３は、図１及び図６に示すように、波状のフルートＦを有する。一対の脚部５３のフルートＦは、図１に示すように、第２フルート方向Ｇ２に直線状に延びている。第２フルート方向Ｇ２は、Ｘ方向に沿う方向であり、梱包容器本体２の第１側板２３のフルートＦが延びる第１フルート方向Ｇ１に直交する方向である。一対の脚部５３のフルートＦの複数の波形状は、第２フルート方向Ｇ２に直交する方向Ｚに連続して並んで配置される。
【００２８】
一対の脚部５３の幅は、図４に示すように、基端部側（第１側縁５２１）側から先端部側に向かって徐々に狭く構成される。
一対の脚部５３の高さＥは、挿入開口５１に挿入された感光体ドラム１０を好適に支持する観点から、感光体ドラム１０の高さＬ（図７参照）の７０％〜９５％であることが好ましい。
【００２９】
また、上記複数の挿入開口５１の直径Ｒ１と上記感光体ドラム１０の外径Ｒ２の関係、及び、上記一対の脚部５３の高さＥと上記感光体ドラム１０の高さＬの関係により、感光体ドラム１０の倒れ角度が規制され、後述の第２ドラムホルダー４の複数の位置決め突起４２は、複数の感光体ドラム１０それぞれの上端部に容易に挿入することができる。
【００３０】
一対のフラップ係止部５４は、図６に示すように、仕切り面５２の一対の第２側縁５２２から仕切り面５２に対して所定角度屈曲して外方に延びる。より具体的には、一対のフラップ係止部５４は、図４に示すように、シート状部材における仕切り面５２の一対の第２側縁５２２から延出した部分により構成される。そして、延出したシート状部材が一対の第２側縁５２２において、一対の脚部５３とは反対側に屈曲されて一対のフラップ係止部５４が構成されている。
【００３１】
以上の仕切り部材５は、図１に示すように、一対の脚部５３が第１ドラムホルダー３側を向くように、第１ドラムホルダー３の上部に配置される。
【００３２】
第２ドラムホルダー４は、図１〜図３に示すように、第１ドラムホルダー３と同一の構成を備える。即ち、第２ドラムホルダー４は、シート状の基部４１と、この基部４１から突出する複数の位置決め突起４２と、これら複数の位置決め突起４２を区画するリブ部４３と、を備える。
第２ドラムホルダー４は、図１に示すように、複数の位置決め突起４２及びリブ部４３が下方を向くように、複数の挿入開口５１に複数本の感光体ドラム１０が挿入された仕切り部材５の上方に配置される。
第２ドラムホルダー４は、第１ドラムホルダー３と同様に、ポリエチレンテレフタレート（ＰＥＴ）等の合成樹脂をシート状に成形した樹脂シートを真空成形することにより、基部３１、複数の位置決め突起４２及びリブ部４３が一体的に形成される。第２ドラムホルダー４は、透明である。
【００３３】
一対のシート状の補強材６は、図１に示すように、底板６１と、天板６２とにより構成される。底板６１は、梱包容器本体２の底面と第１ドラムホルダー３との間に配置される。天板６２は、第２ドラムホルダー４と梱包容器本体２の上面との間に配置される。底板６１及び天板６２それぞれは、一枚のシート状部材であるダンボール等の紙材により構成され、第１ドラムホルダー３及び第２ドラムホルダー４を補強する。
【００３４】
底板６１及び天板６２は、波状のフルートＦを有する。
底板６１のフルートＦは、図１に示すように、複数の波形状がＸ方向に連続して並んで配置され、Ｘ方向に直交する第３フルート方向Ｇ３に直線状に延びている。第３フルート方向Ｇ３は、Ｙ方向に沿う方向である。
天板６２のフルートＦは、図１に示すように、複数の波形状がＹ方向に連続して並んで配置され、Ｙ方向に直交する第４フルート方向Ｇ４に直線状に延びている。第４フルート方向Ｇ４は、Ｘ方向に沿う方向であり、第３フルート方向Ｇ３と直交する方向である。
【００３５】
次に、以上説明した第１実施形態の梱包容器１を用いて複数本の感光体ドラム１０を梱包する感光体ドラム１０の梱包方法について、説明する。
本実施形態の梱包容器１を用いた感光体ドラム１０の梱包方法では、図７に示すように、梱包容器本体２の内部において、複数本の感光体ドラムの上下方向（Ｚ方向）の両端が、第１ドラムホルダー３と第２ドラムホルダー４との間に挟み込まれて固定される。
【００３６】
より具体的には、感光体ドラム１０の梱包方法は、梱包容器本体２の底面に底板６１及び第１ドラムホルダー３を配置する第１Ａ工程と、第１ドラムホルダー３の上部に仕切り部材５を配置する第１Ｂ工程と、仕切り部材５における複数の挿入開口５１に複数本の感光体ドラム１０を挿入する第１Ｃ工程と、複数の挿入開口５１に複数本の感光体ドラム１０を挿入した後に、仕切り部材５の上部に第２ドラムホルダー４を配置する第１Ｄ工程と、第２ドラムホルダー４の上部に天板６２を配置する第１Ｅ工程と、梱包容器本体２の上面を閉じる第１Ｆ工程と、を備える。
【００３７】
第１Ａ工程では、梱包容器本体２の底面に、底板６１が配置され、この底板６１の上面に第１ドラムホルダー３が配置される。ここで、第１ドラムホルダー３は、図１に示すように、複数の位置決め突起３２及びリブ部３３が上方を向くように、梱包容器本体２の底面に配置される。
【００３８】
第１Ｂ工程では、第１ドラムホルダー３の上部に、仕切り部材５が配置される。より具体的には、仕切り部材５は、一対の脚部５３が第１ドラムホルダー３側を向くように、第１ドラムホルダー３の上部に配置される。ここで、第１ドラムホルダー３の基部３１及び仕切り部材５の仕切り面５２は、略同じ大きさの正方形状に構成され、また、仕切り面５２において形成された複数の挿入開口５１の配置パターンは、第１ドラムホルダー３における複数の位置決め突起３２の配置パターンと同一となっている。これにより、複数の挿入開口５１の位置は、梱包容器１の高さ方向から視て、複数の位置決め突起３２の位置と一致する位置に配置される。
また、本実施形態においては、一対のフラップ係止部５４が仕切り面５２の一対の第２側縁５２２から外方に延びている。これにより、仕切り部材５は、図７に示すように、一対のフラップ係止部５４が梱包容器本体２の内側面に押し付けられるように配置されるので、仕切り部材５が梱包容器本体２の内部でがたつきにくい。
【００３９】
第１Ｃ工程では、仕切り部材５における複数の挿入開口５１に複数本の感光体ドラム１０が縦置きの状態で挿入される。ここで、上述のように、複数の挿入開口５１の位置は、梱包容器１の高さ方向から視て、複数の位置決め突起３２の位置と一致する位置に配置されている。これにより、挿入開口５１から挿入された感光体ドラム１０の下端部は、対応して配置される位置決め突起３２及び位置決め突起３２の周囲に設けられたリブ部３３により好適な位置に誘導され、位置決めされる。また、挿入開口５１に挿入された感光体ドラム１０は、仕切り部材５により起立状態が好適に維持される。
【００４０】
第１Ｄ工程では、複数本の感光体ドラム１０が挿入された仕切り部材５の上部に第２ドラムホルダー４が配置される。より具体的には、第２ドラムホルダー４は、複数の位置決め突起４２及びリブ部４３が下方を向くように配置される。ここで、第２ドラムホルダー４は、第１ドラムホルダー３と同一の構成を備えている。これにより、第２ドラムホルダー４の複数の位置決め突起４２は、複数の感光体ドラム１０それぞれの上端部に容易に挿入される。
【００４１】
第１Ｅ工程では、第２ドラムホルダー４の上部に天板６２が配置される。
第１Ｆ工程では、梱包容器本体２の上面を構成する蓋材が閉じられ、梱包が完了する。
ここで、梱包容器１の梱包が完了した状態においては、感光体ドラム１０の上下方向（Ｚ方向）の両端は、第１ドラムホルダー３の基部３１及び第２ドラムホルダー４の基部４１に当接している。これにより、複数の感光体ドラム１０は、両端が第１ドラムホルダー３の基部３１及び第２ドラムホルダー４の基部４１に当接することにより、例えば、梱包容器１が複数段積み重ねられたことによる荷重を受ける。
また、梱包容器本体２の第１側板２３のフルートＦが延びる第１フルート方向Ｇ１（Ｚ方向）は、一対の脚部５３のフルートＦが延びる第２フルート方向Ｇ２（Ｘ方向）に直交する方向である。底板６１のフルートＦが延びる第３フルート方向Ｇ３（Ｙ方向）は、天板６２のフルートＦが延びる第４フルート方向Ｇ４（Ｘ方向）に直交する方向である。
【００４２】
以上説明した第１実施形態の梱包容器１によれば、以下のような効果を奏する。
【００４３】
（１）梱包容器１を、第１側板２３及び第２側板２４を備える梱包容器本体２と、感光体ドラム１０の下端部が当接する第１ドラムホルダー３と、仕切り面５２及び第１フルート方向Ｇ１に直交する第２フルート方向Ｇ２に直線状に延びるフルートＦを有して構成される一対の脚部５３を有し第１ドラムホルダー３の上部に配置される仕切り部材５と、感光体ドラム１０の上端部が当接する第２ドラムホルダー４と、を含んで構成し、梱包容器本体２の第１側板２３及び第２側板２４のフルートＦを第１フルート方向Ｇ１に延びるように配置し、仕切り部材５の脚部５３のフルートＦを第１フルート方向Ｇ１に直交する第２フルート方向Ｇ２に延びるように配置した。そのため、梱包容器本体２の第１側板２３及び第２側板２４のフルートＦが延びる第１フルート方向Ｇ１（Ｚ方向）は、一対の脚部５３のフルートＦが延びる第２フルート方向Ｇ２（Ｘ方向）に直交する。これにより、梱包容器１におけるＸＺ平面（Ｘ方向及びＺ方向に沿う面）方向の強度が高くなる。従って、梱包容器１を構成する部材を薄くできる。よって、梱包容器１の製造コストを低減できる。
【００４４】
（２）底板６１のフルートＦを第３フルート方向Ｇ３に延びるように配置し、天板６２のフルートＦを第３フルート方向Ｇ３に延びるように配置した。これにより、底板６１のフルートＦが延びる第３フルート方向Ｇ３（Ｙ方向）は、天板６２のフルートＦが延びる第４フルート方向Ｇ４（Ｘ方向）に直交する。これにより、梱包容器１におけるＸＹ平面（Ｘ方向及びＹ方向に沿う面）方向の強度（剛性）が高くなる。従って、梱包容器１を構成する部材を薄くできる。よって、梱包容器１の製造コストを低減できる。
【００４５】
（３）梱包容器１に梱包される感光体ドラム１０の本数は、感光体ドラム１０が第１ドラムホルダー３及び第２ドラムホルダー４を介して上下方向から受ける荷重に耐えることが可能な本数である。これにより、感光体ドラム１０の両端部で荷重を受けることで、梱包容器１の強度（剛性）を高くできる。
【００４６】
（４）第１ドラムホルダー３及び第２ドラムホルダー４の材質は、所定の圧縮荷重によりせん断されない強度を有する。そのため、感光体ドラム１０の両端部で所定の圧縮荷重を受けても感光体ドラム１０によりせん断されない。これにより、感光体ドラム１０の両端部で荷重を確実に受けることができるため、梱包容器１の強度（剛性）を高くできる。
例えば、第１ドラムホルダー３及び第２ドラムホルダー４の材質は、例えば、梱包容器１を複数段パレットに積み重ねた状態に受ける荷重（静置荷重）の１６倍の荷重に耐えられる強度を有することが好適である。
【００４７】
（５）第１ドラムホルダー３及び第２ドラムホルダー４の材質（Ｈ）、感光体ドラム１０の感光層の材質（Ｋ）、及び梱包容器本体２の材質（Ｓ）において、帯電列の関係は、Ｈ＜Ｋ＜Ｓ、又は、Ｓ＜Ｋ＜Ｈである。この帯電列の関係により、感光体ドラム１０の感光層の表面には、粉体が付着せずに、第１ドラムホルダー３及び第２ドラムホルダー４や梱包容器本体２に付着する。従って、例えば、輸送中等の振動により生じた梱包部材の摩擦粉が、感光体ドラム１０の感光層の表面に付着することを防止できる。よって、感光体ドラム１０の品質を維持できる。
【００４８】
（６）複数本の感光体ドラム１０は、梱包容器本体２の上面（天面）又は底面において、均等に配置される。そのため、複数本の感光体ドラム１０に対して、均等に荷重が掛かる。これにより、複数本の感光体ドラム１０それぞれに掛かる荷重を均等に分散させて、荷重に対する強度を安定させることができる。
【００４９】
（７）第１ドラムホルダー３及び第２ドラムホルダー４と梱包容器本体２Ａの第１側板２３及び第２側板２４の内面との間の距離を、感光体ドラム１０の直径以下に構成した。よって、第１ドラムホルダー３及び第２ドラムホルダー４の位置がずれた場合に、感光体ドラム１０が倒れることを防止できる。
【００５０】
（８）第１ドラムホルダー３及び第２ドラムホルダー４を、透明に構成した。そのため、例えば、第１ドラムホルダー３及び第２ドラムホルダー４を遮光性を有する黒色の部材で構成するよりも、コストを低減できる。また、透明であるため、感光体ドラム１０の状態を確認しやすく、組み立ての作業性を向上できる。
【００５１】
（９）感光体ドラム１０は、感光体ドラム１０が延びる方向が鉛直方向Ｚに沿うように配置されて梱包される。つまり、感光体ドラム１０は、縦置きの状態で、梱包容器１に梱包される。そのため、梱包容器本体２の上面側から内部に入り込む漏れ光が、感光体ドラム１０の感光層の表面に対して平行になる。これにより、感光体ドラム１０の感光層の表面に照射される漏れ光の影響を低減できる。更に、感光体ドラム１０の感光層の表面に照射される漏れ光の影響を低減できるため、第１ドラムホルダー３及び第２ドラムホルダー４を透明しても影響が少ないことから、第１ドラムホルダー３及び第２ドラムホルダー４を透明に構成しやすい。
尚、梱包に関して感光体ドラム１０はフランジが挿入されていない状態で説明を行ったが、フランジが挿入された状態でも実施可能である。
【００５２】
＜第２実施形態＞
次に、本発明の第２実施形態について、図８〜図１２を参照しながら説明する。なお、図１２における梱包容器本体２Ａの展開図の説明において、梱包容器本体２Ａの展開図を構成する展開構成部７の長手方向を第１方向Ｄ１といい、長手方向に直交する幅方向を第２方向Ｄ２という。
第２実施形態については、主として、第１実施形態と異なる点を中心に説明し、第１実施形態と同様な構成については、詳細な説明を省略する。第２実施形態において、特に説明しない点は、第１実施形態についての説明が適宜適用される。また、第２実施形態においても、第１実施形態と同様な効果が奏される。
【００５３】
第２実施形態においては、主として、第１実施形態と比べて、仕切り５及び一対のシート状の補強材６（底板６１及び天板６２）を備えていない点、第１ドラムホルダー３の複数の位置決め突起３２Ａ及び第２ドラムホルダー４の複数の位置決め突起４２Ａの形状が異なる点において、第１実施形態と異なる。
第２実施形態の梱包容器１Ａは、図８に示すように、梱包容器本体２Ａと、第１ドラムホルダー３と、第２ドラムホルダー４と、を備える。
【００５４】
第２実施形態において、第１ドラムホルダー３の複数の位置決め突起３２Ａは、基部３１の一方の面から突出し、先端側が略半球で全体が円柱状に形成される。第２ドラムホルダー４の複数の位置決め突起４２Ａの形状は、基部４１の一方の面から突出し、先端側が略半球で全体が円柱状に形成される。
【００５５】
第１ドラムホルダー３の形状は、第１ドラムホルダー３の位置決め突起の高さを（Ｈ）、感光体ドラム１０の長さを（Ｌ）、第１ドラムホルダー３の位置決め突起の外径を（ｈ）、感光体ドラム１０の内径を（ｄ）としたときに、ｄ＞（Ｌ−Ｈ）×（ｄ−ｈ）／Ｈの関係を有する。
第２実施形態の第１ドラムホルダー３及び第２ドラムホルダー４のその他の構成は、第１実施形態の第１ドラムホルダー３及び第２ドラムホルダー４の構成と同様であるため、説明を省略するが、第２ドラムホルダー４の位置決め突起４２Ａの高さは、前述のように第１ドラムホルダー３により固定されるため、低くても良い。
【００５６】
梱包容器本体２Ａは、ダンボール等の紙材により箱状に構成される。本実施形態では、梱包容器本体２は、底面及び上面が開閉可能な蓋部材により構成された平面視正方形の直方体形状のダンボール箱により構成される。
梱包容器本体２Ａは、一対の第１側板２３と、一対の第２側板２４と、底面及び上面において設けられる蓋部材と、を備える。梱包容器本体２Ａの底面及び上面それぞれの蓋部材は、図８〜図１１に示すように、一対の内フラップ２１と、一対の外フラップ２２とにより構成される。
【００５７】
一対の第１側板２３及び一対の第２側板２４は、図８に示すように、シート状部材により中空の方形筒状に構成される。一対の第１側板２３は、梱包容器本体２ＡのＸ方向の両端に対向して配置される。一対の第２側板２４は、梱包容器本体２ＡのＹ方向の両端に対向して配置される。
【００５８】
一対の内フラップ２１は、図９に示すように、梱包容器本体２Ａの底面及び上面において、一対の第１側板２３それぞれにおける一対の上縁及び下縁から一対の第１側板２３の内側に向けて、一対の第１側板２３に直交する方向に、第１屈曲線７３１を介して屈曲して延びる。一対の内フラップ２１は、互いが第１側板２３の内側に向けて延びて、互いが隙間なく平面状に配置される。内フラップ２１は、梱包容器本体２Ａの梱包状態において、外フラップ２２よりも梱包容器本体２Ａの内側に配置される。
【００５９】
一対の外フラップ２２は、図９に示すように、梱包容器本体２Ａの底面及び上面において、一対の第２側板２４それぞれにおける一対の上縁及び下縁から一対の第２側板２４の内側に向けて、一対の第２側板２４に直交する方向に、内フラップ２１の第１屈曲線７３１よりも内フラップ２１の厚さｔの分だけ外方側に位置する第２屈曲線７３２を介して屈曲して延びる。外フラップ２２は、梱包容器本体２Ａの梱包状態において、内フラップ２１よりも梱包容器本体２Ａの外側に配置される。
【００６０】
梱包容器本体２Ａは、１枚（１ピース）のダンボール等の紙材により、組み立てられて構成される。梱包容器本体２Ａの展開図を構成する展開構成部７は、図１２に示すように、本体構成部７２と、接合片７５と、を有する。
梱包容器本体２Ａの展開構成部７の本体構成部７２は、平面視で第１方向Ｄ１に延びる長方形状に形成される。梱包容器本体２Ａの展開構成部７の本体構成部７２は、１枚の長方形状の紙材に複数の切断線７４１が形成され且つ複数の屈曲線７３１、７３２、７３３が形成されることで構成される。
【００６１】
本体構成部７２は、一対の第１側板構成部７２３と、一対の第２側板構成部７２４と、内フラップ構成部７２１と、外フラップ構成部７２２と、複数の切断線７４１と、複数の屈曲線７３１、７３２、７３３と、を有する。
一対の第１側板構成部７２３、一対の第２側板構成部７２４、一対の内フラップ構成部７２１及び一対の外フラップ構成部７２２は、図９に示すように、梱包容器本体２Ａが組み立てられた状態において、一対の第１側板２３（一対の第１側板構成部７２３）、一対の第２側板２４（一対の第２側板構成部７２４）、一対の内フラップ２１（内フラップ構成部７２１）及び一対の外フラップ２２（外フラップ構成部７２２）それぞれに対応する。
【００６２】
梱包容器本体２Ａは、図１２に示すように、展開図において、第２方向Ｄ２の中央において、第１側板構成部７２３、第２側板構成部７２４、第１側板構成部７２３、第２側板構成部７２４は、第１方向Ｄ１の一方側（図１２における右側）から他方側にこの順に、連続して並んで配置されている。第１側板構成部７２３、第２側板構成部７２４、第１側板構成部７２３及び第２側板構成部７２４は、それぞれ、第２方向Ｄ２に延びる第３屈曲線７３３を介して接続される。
【００６３】
一対の第１側板構成部７２３の第２方向Ｄ２の両端部それぞれには、図１２に示すように、第１方向Ｄ１に延びる第１屈曲線７３１を介して、内フラップ構成部７２１が接続されている。一対の第１側板構成部７２３及び内フラップ構成部７２１の第１方向Ｄ１の長さＭは、同じ長さであり、梱包容器本体２Ａが組み立てられた状態において、図９に示すように、平面視において正方形の梱包容器本体２Ａの一方の辺の長さを構成する。
【００６４】
一対の第２側板構成部７２４の第２方向Ｄ２の両端部それぞれには、図１２に示すように、第１方向Ｄ１に延びる第２屈曲線７３２を介して、外フラップ構成部７２２が接続されている。一対の第２側板構成部７２４及び外フラップ構成部７２２の第１方向Ｄ１の長さＭは、同じ長さであり、梱包容器本体２Ａが組み立てられた状態において、平面視において正方形の梱包容器本体２Ａの他方の辺の長さを構成する。
以上により、梱包容器本体２Ａは、組み立てられた状態において、図９に示すように、平面視において、一辺が長さＭの正方形状になる。梱包容器本体２Ａの底面及び上面が塞がれていない状態においては、梱包容器本体２Ａの底面及び上面において、一辺が長さＭの開口部が形成される。
【００６５】
図１２に示すように、内フラップ構成部７２１の第２方向Ｄ２の長さＯは、第２側板構成部７２４の第１方向Ｄ１の長さＭの半分の長さである（Ｏ＝Ｍ／２）。これにより、梱包容器本体２Ａが組み立てられた場合に、図９に示すように、一対の内フラップ２１（一対の内フラップ構成部７２１）は、互いが隙間なく平面状に配置され、梱包容器本体２Ａの一辺が長さＭの開口部を塞ぐことができる。
【００６６】
図１２に示すように、外フラップ構成部７２２（外フラップ２２）の第２方向Ｄ２の長さＮは、内フラップ構成部７２１（内フラップ２１）の第２方向Ｄ２の長さＯよりも、内フラップ構成部７２１（内フラップ２１）の厚さｔ（図９〜図１１参照）の分だけ短く構成される。つまり、第２屈曲線７３２は、内フラップ構成部７２１の厚さの分、第１屈曲線７３１よりも展開構成部７の外方側に位置する。
これにより、図９に示すように、一対の外フラップ２２は、一対の内フラップ２１が梱包容器本体２Ａの開口部を塞いだ状態において、内フラップ２１の平面性を保持しながら、内フラップ２１の外側から内フラップ２１を保持することができる。
【００６７】
第２側板構成部７２４の第２方向Ｄ２の長さＱは、梱包容器本体２Ａが組み立てられた状態において、第２側板２４のＺ方向の長さを構成する。第２側板構成部７２４の第２方向Ｄ２の長さＱは、梱包容器本体２Ａの高さとなる。第２側板構成部７２４の第２方向Ｄ２の長さＱは、感光体ドラム１０の長さ等を考慮して適宜設定される。
第１側板構成部７２３の第２方向Ｄ２の長さＰは、梱包容器本体２Ａが組み立てられた状態において、第１側板２３のＺ方向の長さを構成する。第１側板構成部７２３の第２方向Ｄ２の長さＰは、第２側板構成部７２４の第２方向Ｄ２の長さＱよりも、底面側及び上面側の内フラップ構成部７２１の２枚分の厚さの分だけ短く構成される。
【００６８】
内フラップ構成部７２１及び外フラップ構成部７２２は、切断線７４１を挟んで第１方向Ｄ１に並んで配置される。切断線７４１は、本体構成部７２の第２方向Ｄ２の両端部それぞれから第２方向Ｄ２に沿って内側に向かって延びており、内フラップ構成部７２１の第２方向Ｄ２の長さＯ（＝Ｍ／２）で直線状に切断されている。
第１側板構成部及び第２側板構成部の第２方向Ｄ２の外縁は、梱包容器本体２Ａの展開図において、第１方向Ｄ１に延びる直線状に形成され、長方形状の本体構成部７２における第１方向Ｄ１に沿う一辺を構成する。
【００６９】
接合片７５は、本体構成部７２の第１方向Ｄ１の一端部から延出されて形成される。接合片７５は、本体構成部７２の一端部と他端部と接合するために設けられる。
【００７０】
このような梱包容器本体２Ａの展開状態から、梱包容器本体２Ａは、まず、以下のように、梱包容器本体２Ａにおける底面側の開口部を塞いだ状態で組み立てられる。
図１２に示す状態から、梱包容器本体２Ａの展開構成部７は、一対の第１側板構成部７２３が対向すると共に一対の第２側板構成部７２４が対向して方形筒状になるように、第１側板構成部７２３及び第２側板構成部７２４をそれぞれが直角になるように第３屈曲線７３３を介して折り曲げられる。
そして、本体構成部７２の第１方向Ｄ１の一端と他端とは、接合片７５により接合される。これにより、本体構成部７２は、平面視で一辺の長さＭの正方形の筒状に形成される。
【００７１】
次に、梱包容器本体２Ａの底面側の開口部を塞ぐために、本体構成部７２における内フラップ構成部７２１は、梱包容器本体２Ａが組み立てられた場合の底面側において、第１屈曲線７３１を介して、第１側板構成部７２３に直交する方向における梱包容器本体２Ａの内方側に折り曲げられる。
ここで、図１２に示すように、内フラップ構成部７２１の第２方向Ｄ２の長さＯは、第２側板構成部７２４の第１方向Ｄ１の長さＭの長さの半分の長さである（Ｏ＝Ｍ／２）。そのため、一対の内フラップ構成部７２１が梱包容器本体２Ａの両端側から折り曲げられた場合に、一対の内フラップ２１は、隙間がない状態で平面状に配置される。これにより、一対の内フラップ２１の平面性が保持され、感光体ドラム１０を縦置きの状態で安定して保持することができる。従って、複数の感光体ドラム１０に均一に荷重を掛けることができる。
【００７２】
次に、外フラップ構成部７２２は、梱包容器本体２Ａが組み立てられた場合の底面側において、第２屈曲線７３２に沿って、第２側板構成部７２４に直交する方向における梱包容器本体２Ａの内方側に折り曲げられる。外フラップ２２は、内フラップ２１の外側から、内フラップ２１に当接して内フラップ２１を保持する。
ここで、第２屈曲線７３２は、第１屈曲線７３１よりも内フラップ２１の厚さｔの分だけ外方側に配置される。そのため、外フラップ２２は、内フラップ２１の平面性を保持しながら、内フラップ２１を保持できる。
以上により、図９に示す、底面が閉止された状態の梱包容器本体２Ａが組み立てられる。
【００７３】
次に、底面が閉じられた状態の梱包容器本体２Ａを使用して、以上説明した第２実施形態の梱包容器１Ａにより複数本の感光体ドラム１０を梱包する感光体ドラム１０の梱包方法について、説明する。
第２実施形態の梱包容器１Ａを用いた感光体ドラム１０の梱包方法では、図１０及び図１１に示すように、梱包容器本体２の内部において、複数本の感光体ドラム１０の上下方向（Ｚ方向）の両端が、第１ドラムホルダー３と第２ドラムホルダー４との間に挟み込まれて固定される。
【００７４】
より具体的には、感光体ドラム１０の梱包方法は、梱包容器本体２の底面に第１ドラムホルダー３を配置する第２Ａ工程と、複数本の感光体ドラム１０を第１ドラムホルダー３に載置する第２Ｂ工程と、第１ドラムホルダー３に複数本の感光体ドラム１０を載置した後に、感光体ドラム１０の上部に第２ドラムホルダー４を配置する第２Ｃ工程と、梱包容器本体２の上面を閉じる第２Ｄ工程と、を備える。
【００７５】
第２Ａ工程では、前述のように梱包容器本体２Ａの底面側が閉じられた梱包容器本体２の底面に、第１ドラムホルダー３が配置される。ここで、第１ドラムホルダー３は、図１に示すように、複数の位置決め突起３２Ａ及びリブ部３３が上方を向くように、梱包容器本体２の底面に配置される。
【００７６】
第２Ｂ工程では、複数の位置決め突起３２Ａに複数の感光体ドラム１０の下端部が挿入されて、複数本の感光体ドラム１０は、第１ドラムホルダー３に載置される。
【００７７】
第２Ｃ工程では、複数本の感光体ドラム１０の上部に第２ドラムホルダー４が配置される。より具体的には、第２ドラムホルダー４は、複数の位置決め突起４２Ａ及びリブ部４３が下方を向くように配置される。ここで、第２ドラムホルダー４は、第１ドラムホルダー３と同一の構成を備えている。これにより、第２ドラムホルダー４の複数の位置決め突起４２Ａは、複数の感光体ドラム１０それぞれの上端部に容易に挿入される。
【００７８】
ここで、図１０に示すように、第１ドラムホルダー３の位置決め突起の高さを（Ｈ）、感光体ドラム１０の長さを（Ｌ）、第１ドラムホルダー３の位置決め突起３２Ａの外径を（ｈ）、感光体ドラム１０の内径を（ｄ）とする。この場合に、第２実施形態の第１ドラムホルダー３の形状は、ｄ＞（Ｌ−Ｈ）×（ｄ−ｈ）／Ｈの関係である。
つまり、以下の式の関係が成り立つ。
［ｄ／（Ｌ−Ｈ）］＞［（ｄ−ｈ）／Ｈ］
詳細には、図１０において、感光体ドラム１０の内径（ｄ）と感光体ドラム１０の長さから第１ドラムホルダー３の位置決め突起の高さを減算した長さ（Ｌ−Ｈ）との比は、感光体ドラム１０の内径から第１ドラムホルダー３の位置決め突起３２Ａの外径を減算した長さ（ｄ−ｈ）と第１ドラムホルダー３の位置決め突起の高さ（Ｈ）との比よりも大きくなるような関係が成り立つ。
これにより、感光体ドラム１０が第１ドラムホルダー３に傾いて配置された場合であっても、感光体ドラム１０の傾れ角度が規制され、第２ドラムホルダー４の位置決め突起３２Ａを、感光体ドラム１０の位置を修正せずに、対応する感光体ドラム１０に容易に挿入させることができる。よって、感光体ドラム１０を梱包する際の作業性を向上できる。
【００７９】
第２Ｄ工程では、梱包容器本体２Ａの上面を構成する蓋部が閉じられ、梱包が完了する。具体的には、前述の梱包容器本体２Ａの底面側を閉じる方法と同様に、上面側において、一対の内フラップ２１及び一対の外フラップ２２により、梱包容器本体２Ａの上面側の開口部が閉じられる。これにより、一対の内フラップ２１は、梱包容器本体２Ａの上面側において、隙間がない状態で平面状に配置される。よって、一対の内フラップ２１の平面性が保持され、感光体ドラム１０を縦置きの状態で安定して保持することができる。従って、複数の感光体ドラム１０に均一に荷重を掛けることができる。また、外フラップ２２は、内フラップ２１の平面性を保持しつつ、内フラップ２１を保持できる。
【００８０】
第２実施形態の梱包容器１Ａによれば、上述した（３）〜（９）の効果を奏する他、以下のような効果を奏する。
【００８１】
（１０）梱包容器１Ａを、第１側板２３及び第２側板２４と、第１屈曲線７３１を介して屈曲して延び且つ互いが隙間なく平面状に配置される一対の内フラップ２１、及び該内フラップ２１の第１屈曲線７３１よりも内フラップ２１の厚さ分外方側に位置する第２屈曲線７３２を介して屈曲して延びる外フラップ２２を有する箱状の梱包容器本体２Ａと、感光体ドラム１０の下端部が当接する第１ドラムホルダーと、感光体ドラム１０の上端部が当接する第２ドラムホルダーと、を備えて構成した。これにより、内フラップ２１により梱包容器１Ａにおける平面性が保持されると共に外フラップ２２により内フラップ２１を保持するため、感光体ドラム１０に均一に荷重を掛けることができ、梱包容器１Ａの強度が高くなる。従って、梱包容器１Ａを構成する部材を薄くできる。よって、梱包容器１Ａの製造コストを低減できる。また、第１実施形態のような一対の補強材６（底板６１、天板６２）や仕切り部材５を省略できる強度を有するため、製造コストを低減できる。
（１１）第１ドラムホルダー３の形状は、第１ドラムホルダー３の位置決め突起の高さを（Ｈ）、感光体ドラム１０の長さを（Ｌ）、第１ドラムホルダー３の位置決め突起３２Ａの外径を（ｈ）、感光体ドラム１０の内径を（ｄ）としたときに、ｄ＞（Ｌ−Ｈ）×（ｄ−ｈ）／Ｈの関係である。これにより、感光体ドラム１０が第１ドラムホルダー３に傾いて配置された場合であっても、感光体ドラム１０の傾れ角度が規制され、第２ドラムホルダー４の位置決め突起３２Ａを対応する感光体ドラム１０に容易に挿入させることができる。よって、感光体ドラム１０を梱包する際の作業性を向上できる。また、第１実施形態のような感光体ドラム１０が倒れることを防止する仕切り部材を省略できるため、製造コストを低減できる。
【００８２】
（１２）梱包容器本体２Ａは、１ピースで構成され、展開図が長方形である。そのため、梱包容器本体２Ａに要するコストを低減できる。梱包容器本体２Ａの取り扱いが容易であり、梱包容器本体２Ａを容易に組み立てることができる
【００８３】
以上、本発明の好ましい一実施形態について説明したが、本発明は、上述した実施形態に制限されるものではなく、適宜変更が可能である。
例えば、前記実施形態では、第１ドラムホルダー３及び第２ドラムホルダー４を、透明な樹脂シートにより構成したが、これに限らない。即ち、第１ドラムホルダー及び第２ドラムホルダーを、ダンボール材やパルプモールド材により構成してもよい。
【００８４】
また、前記実施形態では、内フラップ２１及び外フラップ２２の構成を、梱包容器本体２、２Ａの底面側及び上面側の両方に適用したが、これに限らない。内フラップ２１及び外フラップ２２の構成を、梱包容器本体２、２Ａの底面側又は上面側のうち一方側にのみ適用してもよい。
【００８５】
また、前記実施形態においては、梱包容器本体２を直方体形状に構成したが、これに限らない。梱包容器本体２を多角柱体形状や円筒体形状に構成してもよい。
【００８６】
また、前記第２実施形態においては、梱包容器本体２Ａを１枚（１ピース）で構成したが、これに限られない。梱包容器本体２Ａを２ピース又は３ピースで構成してもよい。例えば、梱包容器本体２Ａの底面や上面を別のシート部材により構成することもできる。この場合には、例えば梱包容器本体２Ａの底面を外すことにより、梱包容器本体２から感光体ドラム１０を取り出しやすくなり、梱包容器本体２に感光体ドラム１０を収容しやすくなる。
【００８７】
また、前記実施形態においては、梱包容器本体２の第１側板２３及び第２側板２４は、平面状に構成されていたが、これに限らない。梱包容器本体２の第１側板２３及び第２側板２４は、感光体ドラム１０の高さ方向の長さに合わせて伸縮可能に構成してもよい。子の場合には、例えば、梱包容器本体２の第１側板２３及び第２側板２４を蛇腹状に構成することにより実現可能である。
【００８８】
また、前記実施形形態において、梱包容器本体２の第１側板２３及び第２側板２４には、梱包容器１を開梱可能なミシン目や開口部が形成されていてもよい。この場合には、感光体ドラム１０、第１ドラムホルダー３及び第２ドラムホルダー４を、ミシン目を介して開口した開口部や予め設けた開口部を介して、一括して梱包容器本体２の内部に投入したり、一括して梱包容器本体２から取り出すことが容易となる。
尚、前記第１の実施形態同様、梱包に関して感光体ドラム１０はフランジが挿入されていない状態で説明を行ったが、フランジが挿入された状態でも実施可能である。
【符号の説明】
【００８９】
１、１Ａ……梱包容器、２、２Ａ……梱包容器本体、３……第１ドラムホルダー、４……第２ドラムホルダー、５……仕切り部材、１０……感光体ドラム、２１……内フラップ、２２……外フラップ、２３……第１側板（側部）、２４……第２側板（側部）、３１、４１……基部、３２、３２Ａ、４２、４２Ａ……位置決め突起、３３、４３……リブ部、５１……挿入開口、５２……仕切り面、５３……脚部、６１……底板、６２……天板、５２１……第１側縁、７３１……第１屈曲線、７３２……第２屈曲線、Ｆ……フルート、Ｇ１……第１フルート方向、Ｇ２……第２フルート方向、Ｇ３……第３フルート方向、Ｇ４……第４フルート方向
【図１】
2014122063.tif 000003
【図２】
2014122063.tif 000004
【図３】
2014122063.tif 000005
【図４】
2014122063.tif 000006
【図５】
2014122063.tif 000007
【図６】
2014122063.tif 000008
【図７】
2014122063.tif 000009
【図８】
2014122063.tif 000010
【図９】
2014122063.tif 000011
【図１０】
2014122063.tif 000012
【図１１】
2014122063.tif 000013
【図１２】
2014122063.tif 000014